(57)【要約】【課題】プラズマディスプレイパネルを提供する。【解決手段】第１基板１１１と、第１基板１１１と対向するように配置された第２基板１２１と、第１基板１１１と第２基板１２１との間に配置され、第１基板１１１及び第２基板１２１と共に放電セル１１４を限定し、誘電体より形成された第１隔壁１１２と、放電セル１１４内に配置された蛍光体層１２５と、第１隔壁１１２内に配置されるものであって、放電セル１１４を取り囲むようにそれぞれ延びた第１放電電極１３０と、第１隔壁１１２内に配置され、第１放電電極１３０と離隔されるものであって、放電セル１１４を取り囲むように延びた第２放電電極１４０と、を備え、第１放電電極１３０と第２放電電極１４０のうち少なくとも何れか一つは、放電セル１１４ごとに取り囲み、複数個にそれぞれ分割されて離隔された放電部と、相互隣接した放電セル１１４をそれぞれ取り囲む放電部の間を電気的に連結する連結部と、を含むプラズマディスプレイパネル。【選択図】図２
2005332806.tif 000002
【特許請求の範囲】
【請求項１】
第１基板と、
前記第１基板と対向するように配置された第２基板と、
前記第１基板と第２基板との間に配置され、前記第１基板及び第２基板と共に放電セルを限定し、誘電体より形成された第１隔壁と、
前記放電セル内に配置された蛍光体層と、
前記第１隔壁内に配置されるものであって、前記放電セルを取り囲むようにそれぞれ延びた第１放電電極と、
前記第１隔壁内に配置され、前記第１放電電極と離隔されるものであって、前記放電セルを取り囲むように延びた第２放電電極と、を備え、
前記第１放電電極と第２放電電極のうち少なくとも何れか一つは、前記放電セルごとに取り囲み、複数個にそれぞれ分割されて離隔された放電部と、相互隣接した放電セルをそれぞれ取り囲む放電部の間を電気的に連結する連結部と、を含むことを特徴とするプラズマディスプレイパネル。
【請求項２】
前記複数の放電部は一列に配列され、前記それぞれの放電部は、相互対向しかつ離隔され、前記複数の放電部が配列された方向に沿って配置された第１及び第２放電部と、前記第１及び第２放電部の間にそれぞれ離隔されて配置された第３及び第４放電部と、を備えてなることを特徴とする請求項１に記載のプラズマディスプレイパネル。
【請求項３】
前記第１及び第２放電部は、第１及び第２連結部によって隣接した放電セルの第１及び第２放電部とそれぞれ連続的に連結され、前記第３放電部は、第３連結部によって隣接した放電セルの第２放電部と連続的に連結され、前記第４放電部は、第４連結部によって隣接した放電セルの第１放電部と連続的に連結されたことを特徴とする請求項２に記載のプラズマディスプレイパネル。
【請求項４】
前記第１隔壁は、前記放電セルを閉鎖型に区画し、前記第１及び第２放電部は、それぞれ両端が折曲されて前記放電セルの１／４領域をそれぞれ超過するように覆い包むことを特徴とする請求項３に記載のプラズマディスプレイパネル。
【請求項５】
前記第３及び第４連結部は、前記複数の放電部が配列された方向と平行に配置されたことを特徴とする請求項４に記載のプラズマディスプレイパネル。
【請求項６】
前記第３及び第４連結部は、前記複数の放電部が配列された方向に対して所定角度で傾いて配置されたことを特徴とする請求項４に記載のプラズマディスプレイパネル。
【請求項７】
前記第１放電電極は、前記第２放電電極が延びた方向と交差する方向に沿って延びたことを特徴とする請求項１に記載のプラズマディスプレイパネル。
【請求項８】
前記第１放電電極及び第２放電電極は、相互平行にそれぞれ延び、前記放電セルには、前記第１放電電極及び第２放電電極が延びた方向と交差する方向に沿って延びたアドレス電極がさらに備えられたことを特徴とする請求項１に記載のプラズマディスプレイパネル。
【請求項９】
前記アドレス電極は、前記第２基板と蛍光体層との間にさらに備えられた誘電体層内に配置されたことを特徴とする請求項８に記載のプラズマディスプレイパネル。
【請求項１０】
前記第１隔壁と第２基板との間には、前記第１隔壁と共に放電セルを限定する第２隔壁がさらに備えられ、前記第２隔壁によって限定される空間内に蛍光体層が配置されたことを特徴とする請求項１に記載のプラズマディスプレイパネル。
【請求項１１】
前記第１隔壁の側面は、酸化マグネシウム膜によって覆われたことを特徴とする請求項１に記載のプラズマディスプレイパネル。
【発明の詳細な説明】
【技術分野】
【０００１】
本発明は、ガス放電を利用して画像を具現するプラズマディスプレイパネル（ＰＤＰ：Ｐｌａｓｍａ  Ｄｉｓｐｌａｙ  Ｐａｎｅｌ）に関する。
【背景技術】
【０００２】
ＰＤＰを採用した装置は、大画面を有しつつも、高画質、超薄型、軽量化、及び広視野角の優秀な特性を有しており、他の平板ディスプレイ装置に比べて製造方法が簡単であり、大型化が容易で次世代の平板ディスプレイ装置として注目を浴びている。
【０００３】
このようなＰＤＰは、印加される放電電圧によって直流（ＤＣ：Ｄｉｒｅｃｔ  Ｃｕｒｒｅｎｔ）型、交流（ＡＣ：Ａｌｔｅｒｎａｔｉｎｇ  Ｃｕｒｒｅｎｔ）型、及び混合型に分類され、放電構造によって対向放電型及び面放電型に分類されうるが、最近には、交流型３電極面放電構造を有する交流型ＰＤＰが一般的に採用されつつある。
【０００４】
図１には、通常的な交流型３電極面放電ＰＤＰが示されている。
【０００５】
図示されたＰＤＰ１０には、第１基板１１とそれに対向する第２基板２１とが備えられている。
【０００６】
第１基板１１の下面には、共通電極１２と、共通電極１２と放電ギャップをなす走査電極１３とが形成されており、共通電極１２及び走査電極１３は、第１誘電体層１４によって覆われている。第１誘電体層１４の下面には、保護層１５が形成されている。
【０００７】
そして、第２基板２１の上面には、アドレス電極２２が共通電極１２及び走査電極１３と交差するように形成されており、アドレス電極２２は、第２誘電体層２３によって覆われている。第２誘電体層２３の上面には、隔壁２４が所定間隔で離隔されて形成されることによって放電空間２５が区画されている。放電空間２５には、蛍光体層２６がそれぞれ形成されており、放電空間２５には、放電ガスが充填されている。
【０００８】
上記のように構成されたＰＤＰ１０において、放電空間２５には、放電によって発生したプラズマから紫外線が放出される。このような紫外線は、蛍光体層２６を励起させ、このように励起された蛍光体層２６からは可視光線が発散されることによって、画像が表示される。
【０００９】
しかし、第１基板１１の下側から電極１２，１３と、第１誘電体層１４及び保護層１５が順次に形成された構造により、蛍光体層２６から発散された可視光線が４０％ほど吸収されることによって発光効率を高めるのに限界があった。しかも、長時間同じ画像を表示している場合には、放電ガスの荷電粒子が電界によって蛍光体層２６がイオンスパッタリングされることによって、永久残像を引き起こして寿命が短縮するという問題点があった。
【発明の開示】
【発明が解決しようとする課題】
【００１０】
本発明が解決しようとする目的は、輝度及び発光効率を向上させ、低電圧駆動及び低電力駆動が可能なＰＤＰを提供することである。
【課題を解決するための手段】
【００１１】
上記目的を解決するための本発明によるＰＤＰは、第１基板と、前記第１基板と対向するように配置された第２基板と、前記第１基板と第２基板との間に配置され、前記第１基板及び第２基板と共に放電セルを限定し、誘電体より形成された第１隔壁と、前記放電セル内に配置された蛍光体層と、前記第１隔壁内に配置されるものであって、前記放電セルを取り囲むようにそれぞれ延びた第１放電電極と、前記第１隔壁内に配置され、前記第１放電電極と離隔されるものであって、前記放電セルを取り囲むように延びた第２放電電極と、を備え、前記第１放電電極と第２放電電極のうち少なくとも何れか一つは、前記放電セルごとに取り囲み、複数個にそれぞれ分割されて離隔された放電部と、相互隣接した放電セルをそれぞれ取り囲む放電部の間を電気的に連結する連結部と、を含む。
【発明の効果】
【００１２】
本発明によるＰＤＰは、次のような効果を有する。
【００１３】
第一に、放電電極において、放電セルごとに配置されて放電に寄与する放電部が、それぞれ複数個に分割されて所定ギャップに離隔された構造よりなることによって、前記放電部のギャップが存在する領域では、電流が流れない。これにより、低電力駆動が可能になる。
【００１４】
第二に、第１基板において、放電セルから発散された可視光線が透過される領域には、従来のような電極と誘電体層とが存在していないので、開口率が高まって透過率が向上し、放電セルの全ての側面にわたって放電が起こるので、放電面積が大きく拡大して、低電圧駆動が可能になる。
【００１５】
第三に、放電セルの下部領域に配置された蛍光体層は、維持放電が起こる主な領域と顕著に離隔されることによって、荷電粒子によって蛍光体がイオンスパッタリングされることが防止されて十分な寿命を確保できる。
【発明を実施するための最良の形態】
【００１６】
以下、添付された図面を参照して本発明をさらに詳細に説明する。
【００１７】
図２には、本発明の一実施の形態によるＰＤＰが示されている。
【００１８】
図面を参照すれば、本発明の一実施の形態によるＰＤＰ１００には、第１基板１１１と、第１基板１１１と対向して配置された第２基板１２１とが備えられている。
【００１９】
第１基板１１１及び第２基板１２１は、ガラスのような透光性材料より形成されており、特に、第１基板１１１から画像が表示されるので、第１基板１１１は、優秀な透光性を有することが望ましい。
【００２０】
そして、第１基板１１１と第２基板１２１との間には、第１隔壁１１２と第２隔壁１２４とが所定パターンで形成されている。すなわち、第１隔壁１１２及び第２隔壁１２４は、図示されたように、水平に切り取った空間の形状がそれぞれ四角形のマトリックス状の閉鎖型隔壁よりそれぞれ形成されている。そして、第１隔壁１１２の下面は、第２隔壁１２４の上面に対応して、第１隔壁１１２によって限定された空間と第２隔壁１２４によって限定された空間とが互いに対応する。
【００２１】
しかし、これに限定されず、前記第１隔壁及び第２隔壁は、ワッフル状の閉鎖型隔壁より形成されるか、または水平に切り取った空間の形状がそれぞれ三角形、五角形のような多角形や、円形や、楕円形の閉鎖型隔壁よりそれぞれ形成されうる。そして、第１隔壁は、閉鎖型隔壁より形成される一方、第２隔壁は、ストライプ状の開放型隔壁より形成されるように、多様な組み合わせよりなることもある。
【００２２】
第１隔壁１１２及び第２隔壁１２４は、第１及び第２基板１１１，１２１と共に、カラー具現のために単位ピクセルを構成する赤色用サブピクセル、緑色用サブピクセル、及び青色用サブピクセルのうち、一つのサブピクセルに該当する放電セル１１４にそれぞれ区画し、区画された放電セル１１４の間にクロストークによる誤放電が発生することを防止する。第１隔壁１１２及び第２隔壁１２４は、図示されたように、別個の部材より形成されるか、または第１隔壁１１２及び第２隔壁１２４が同じ材料で一体に形成されうる。
【００２３】
第１基板１１１と対向する第２基板１２１の上面には、アドレス電極１２２が形成されており、アドレス電極１２２は、誘電体層１２３によって覆われている。アドレス電極１２２は、放電が開始される放電セル１１４を選択できるように放電セル１１４にそれぞれ対応して形成されている。アドレス電極１２２は、ストライプ状に形成されて図示されているが、これに必ずしも限定されるものではない。
【００２４】
そして、放電セル１１４には、維持放電時に発生した紫外線によって励起されて可視光線が発散する蛍光体層１２５が配置されている。図示されたところによれば、蛍光体層１２５は、第２隔壁１２４によって限定される空間、すなわち、第２基板１２１の上面と第２隔壁１２４の側面とにわたって形成されている。
【００２５】
蛍光体層１２５は、放電時に生じた紫外線によって励起されて赤色、緑色、青色の可視光線をそれぞれ発散する蛍光体を含む。例えば、赤色用サブピクセルに該当する放電セルに形成された赤色蛍光体層は、Ｙ（Ｖ，Ｐ）Ｏ４：Ｅｕ（ユウロピウム付活リンバナジン酸イットリウム）のような蛍光体を含み、緑色用サブピクセルに該当する放電セルに形成された緑色蛍光体層は、Ｚｎ２ＳｉＯ４：Ｍｎ（マンガン付活ケイ酸亜鉛）、ＹＢＯ３：Ｔｂ（テルビウム付活ホウ酸イットリウム）のような蛍光体を含み、青色用サブピクセルに該当する放電セルに形成された青色蛍光体層は、ＢＡＭ：Ｅｕ（ユウロピウム付活アルミン酸バリウムマグネシウム）のような蛍光体を含む。
【００２６】
蛍光体層１２５は、第２隔壁１２４によって限定される空間に形成されているので、放電が起こる第１隔壁１１２側の主な領域と顕著に離隔されている。したがって、荷電粒子によって蛍光体層１２５がイオンスパッタリングされることが防止されて寿命特性が向上し、同じ画像を長時間具現しても永久残像が発生する現象が画期的に減少しうる。
【００２７】
蛍光体層１２５が配置された放電セル１１４内には、放電ガスが充填されるが、前記放電ガスとしては、紫外線を発生させるＸｅ（キセノン）と、バッファの役割を行うＮｅ（ネオン）とが混合された通常的な混合ガスが採用されうる。
【００２８】
一方、第２隔壁１２２と共に放電セル１１４を区画する第１隔壁１１２内（内部）には、放電セル１１４で放電を起こせるものであって、上側放電電極（第１放電電極）１３０と下側放電電極（第２放電電極）１４０とが上下にそれぞれ配置されるように形成されている。ここで、上側放電電極１３０は、第１基板１１１側に近い上側に配置されているものであり、下側放電電極１４０は、上側放電電極１３０より下側に配置されているものである。上側放電電極１３０及び下側放電電極１４０は、アルミニウム、銅のような導電性金属電極よりそれぞれ形成されうる。上記のような金属電極は、ＩＴＯ（Ｉｎｄｉｕｍ  Ｔｉｎ  Ｏｘｉｄｅ：酸化インジウムスズ）より形成された電極より相対的に抵抗が低いので、ＩＴＯ電極を利用する従来のパネルに比べて放電応答速度が速くなりうる。
【００２９】
上記のように、上側放電電極１３０と下側放電電極１４０とが埋め込まれた第１隔壁１１２は、誘電体より形成されている。これにより、上側放電電極１３０と下側放電電極１４０との間に直接通電されることが防止され、放電時に荷電粒子が上側放電電極１３０及び下側放電電極１４０に直接衝突して、これらが損傷することが防止され、荷電粒子を誘導して壁電荷を蓄積し易くなりうる。第１隔壁１１２を形成する誘電体としては、ＰｂＯ（酸化鉛）、Ｂ２Ｏ３（酸化ホウ素）、ＳｉＯ２（二酸化ケイ素）が利用されうる。
【００３０】
そして、第１隔壁１１２の側面には、所定厚さのＭｇＯ膜（酸化マグネシウム膜）１１３がさらに形成されている。このようにＭｇＯ膜１１３が形成されることによって、放電時に発生した荷電粒子が第１隔壁１１２に直接的に衝突することがＭｇＯ膜１１３によって遮断され、荷電粒子のイオンスパッタリングによる第１隔壁１１２の損傷が防止されうる。これと共に、上記のようにＭｇＯ膜１１３に荷電粒子が直接的に衝突することによって、ＭｇＯ膜１１３から放電に寄与する２次電子が放出され、低電圧駆動が可能になり、発光効率が向上しうる。
【００３１】
第１隔壁１１２内に配置される上側放電電極１３０と下側放電電極１４０とを、図３及び図４を参照してさらに詳細に説明すれば、次の通りである。
【００３２】
第１隔壁１１２内の上側に配置された複数の上側放電電極１３０は、所定間隔で離隔されており、一方向に沿ってそれぞれ延びて形成されている。図示されたところによれば、一つの上側放電電極１３０は、一方向に沿って配列された複数の放電セル１１４において、放電セル１１４ごとに４側面を取り囲む構造よりなっている。すなわち、上側放電電極１３０は、第１隔壁１１２内にそれぞれ配置され、一列に配列されて、放電セル１１４ごとに取り囲んで放電に寄与する放電部１３１を備える。
【００３３】
ここで、放電部１３１は、それぞれ所定の幅を有し、複数個に分割されて離隔された四角の帯状に形成されている。そして、このような形状を有する放電部１３１は、連結部１３２によって相互隣接した放電セル１１４をそれぞれ取り囲む放電部１３１と所定パターンで連結されることによって、上側放電電極１３０の一端から印加された電圧が放電部１３１全体にわたって伝えられうる構造よりなっている。
【００３４】
図示された一実施の形態によれば、放電部１３１は、相互対向しかつ離隔され、複数の放電部１３１が配列された方向に沿って配置された第１及び第２放電部１３１ａ，１３１ｂと、第１及び第２放電部１３１ａ，１３１ｂの間にそれぞれ離隔されて配置された第３及び第４放電部１３１ｃ，１３１ｄとを備える。これにより、第１放電部１３１ａと第３及び第４放電部１３１ｃ，１３１ｄとの間にギャップがそれぞれ形成され、第２放電部１３１ｂと第３及び第４放電部１３１ｃ，１３１ｄとの間にギャップがそれぞれ形成される。第１及び第２放電部１３１ａ，１３１ｂは、それぞれ両端が折曲されて形成されて、閉鎖型に区画された放電セル１１４の１／４領域をそれぞれ超過して覆い包むように配置されている一方、第３及び第４放電部１３１ｃ，１３１ｄは、第１及び第２放電部１３１ａ，１３１ｂの長さより短く形成されている。
【００３５】
このような第１放電部１３１ａは、第１連結部１３２ａによって隣接した放電セル１１４の第１放電部１３１ａと連結されており、第２放電部１３１ｂは、第２連結部１３２ｂによって隣接した放電セル１１４の第２放電部１３１ｂと連結されている。そして、第３放電部１３１ｃは、第３連結部１３２ｃによって隣接した放電セル１１４の第２放電部１３１ｂと連結されており、第４放電部１３１ｄは、第４連結部１３２ｄによって隣接した放電セル１１４の第１放電部１３１ａと連結されている。
【００３６】
ここで、第１及び第２連結部１３２ａ，１３２ｂは、第１及び第２放電部１３１ａ，１３１ｂにおいて、それぞれ折曲された部位に配置されるが、複数の放電部１３１が配列された方向と平行に配置されており、第３及び第４連結部１３２ｃ，１３２ｄは、複数の放電部１３１が配列された方向と平行に配置されている。
【００３７】
上記のような第１ないし第４連結部１３２ａ，１３２ｂ，１３２ｃ，１３２ｄによって放電部１３１が電気的に連結されることによって、全体にわたって連結された一つの上側放電電極１３０が構成されうる。一方、前記連結部は、放電に及ぼす影響を最小化するために、最小限の幅に形成されるが、断線が起こらないほどに形成されることが望ましい。図示されたところによれば、連結部の幅は、放電部の幅と同じになっているが、これに限定されるものではない。
【００３８】
このような構造の複数の上側放電電極１３０は、上側放電電極１３０の延びた方向と直交する方向に沿って所定間隔で離隔されて配置されており、このように配置された上側放電電極１３０の放電部１３１において、相互離隔された部位は一組になって、図５に示されたように、上側放電電極１３０の延びた方向に沿って形成された一つの第１隔壁１１２内に共に配置されている。
【００３９】
上記のような上側放電電極１３０の下側にそれぞれ配置された下側放電電極１４０は、前述したような上側放電電極１３０と同じ構造よりなりうる。
【００４０】
すなわち、下側放電電極１４０は、一方向に沿って配列された複数の放電セル１１４において、放電セル１１４ごとに４側面を取り囲む放電部１４１と放電部１４１を所定パターンで連結する連結部１４２とを備える。そして、それぞれの放電部１４１は、図３及び図４に示されたように、相互対向しかつ離隔され、複数の放電部１４１が配列された方向に沿って配置された第１及び第２放電部１４１ａ，１４１ｂと、第１及び第２放電部１４１ａ，１４１ｂの間にそれぞれ離隔されて配置された第３及び第４放電部１４１ｃ，１４１ｄと、を備える。これにより、第１放電部１４１ａと第３及び第４放電部１４１ｃ，１４１ｄとの間にギャップがそれぞれ形成され、第２放電部１４１ｂと第３及び第４放電部１４１ｃ，１４１ｄとの間にギャップがそれぞれ形成される。
【００４１】
そして、第１及び第２放電部１４１ａ，１４１ｂは、それぞれ両端が折曲されて形成されて閉鎖型に区画された放電セル１１４の１／４領域をそれぞれ超過して覆い包み、第３及び第４放電部１４１ｃ，１４１ｄは、第１及び第２放電部１４１ａ，１４１ｂの長さより短く形成されている。第１及び第２放電部１４１ａ，１４１ｂは、第１及び第２連結部１４２ａ，１４２ｂによって隣接した放電セル１１４の第１及び第２放電部１４１ａ，１４１ｂとそれぞれ連結されており、第３放電部１４１ｃは、第３連結部１４２ｃによって隣接した放電セル１１４の第２放電部１４１ｂと連結されており、前記第４放電部１４１ｄは、第４連結部１４２ｄによって隣接した放電セル１１４の第１放電部１４１ａと連結されている。
【００４２】
ここで、第１及び第２連結部１４２ａ，１４２ｂは、第１及び第２放電部１４１ａ，１４１ｂにおいて、それぞれ折曲された部位に配置されるが、複数の放電部１４１が配列された方向と平行に配置されている。そして、第３及び第４連結部１４２ｃ，１４２ｄは、複数の放電部１４１が配列された方向と平行に配置されている。
【００４３】
このような構造の複数の下側放電電極１４０は、下側放電電極１４０の延びた方向と直交する方向に沿って所定間隔で離隔されて配置されており、このように配置された下側放電電極１４０の放電部１４１において、相互離隔された部位は一組になって、図５に示されたように、下側放電電極１４０の延びた方向に沿って形成された一つの第１隔壁１１２内に共に配置されている。
【００４４】
上述したように、上側放電電極１３０及び下側放電電極１４０において、放電部１３１，１４１がそれぞれ複数個に分割されて所定のギャップで離隔されることによって、放電部１３１，１４１の一部領域が削除された構造よりなる。したがって、放電部１３１，１４１のギャップが存在する領域では、電流が流れなくなって、低電力駆動が可能になる。
【００４５】
一方、前記放電部のギャップの大きさは、ギャップによって放電経路が遮断されずに輝度損失が最小化されうるほどに設定されることが望ましい。そして、上述したところによれば、上側放電電極及び下側放電電極において、放電部の一部領域が削除された構造よりなるが、上側放電電極と下側放電電極のうち何れか一つは、放電部の一部領域が削除されず、連続的に形成された構造でありうる。
【００４６】
上記のような構造の上側放電電極１３０及び下側放電電極１４０のうち何れか一つは共通電極に、他の一つは走査電極に該当して、上側放電電極１３０と下側放電電極１４０との間に交互に印加される維持放電電圧によって荷電粒子が上下方向に移動して維持放電を起こせる。なお、本実施の形態では、上側放電電極１３０及び下側放電電極１４０は、相互平行にそれぞれ延び、アドレス電極１２２は、上側放電電極１３０及び下側放電電極１４０が延びた方向と交差する方向に沿って延びている。
【００４７】
但し、下側放電電極１４０が走査電極として作用する場合が、下側放電電極１４０とアドレス電極１２２との間に印加されるアドレス電圧を低め、これら間のアドレス放電がさらに円滑に行われうるので、さらに望ましいであろう。
【００４８】
上記のように、アドレス放電を起こすアドレス電極１２２は、前記アドレス放電が終了した後には、上側放電電極１３０側及び下側放電電極１４０側にそれぞれ電荷を蓄積させることによって、上側放電電極１３０と下側放電電極１４０との間で維持放電がさらに容易に行われるようにする。これにより、維持放電が開始される電圧が低くなりうる。一方、前記アドレス電極は、省略されうるが、この場合には、上側放電電極と下側放電電極とが交差して配置されてはじめて、放電セルが選択されて放電が行われうる。このとき、前記上側放電電極と下側放電電極のうち何れか一つは、アドレス及び維持電極として作用し、他の一つは、走査及び維持電極として作用する。
【００４９】
上記のように構成された本実施の形態によるＰＤＰ１００の作動を概略的に説明すれば、次の通りである。
【００５０】
まず、走査電極の作用を行う下側放電電極１４０とアドレス電極１２２との間にアドレス電圧が印加されることによってアドレス放電が起こり、前記アドレス放電の結果から維持放電が起こる放電セル１１４が選択される。アドレス放電が実行された後に、選択された放電セル１１４に配置された上側放電電極１３０と下側放電電極１４０との間に交互に維持電圧が印加されれば、上側及び下側放電電極１３０，１４０の間に維持放電が起こる。前記維持放電は、放電セル１１４の上側に集中してなされ、放電セル１１４を限定する全ての側面で垂直方向に起こり、次第に放電セル１１４の中央側に延びる。このような維持放電によって放電ガスが励起され、励起された放電ガスからは紫外線が放出される。放出された紫外線は、放電セル１１４内に形成された蛍光体層１２５を励起させ、励起された蛍光体層１２５から可視光が発散されて画像を具現する。
【００５１】
上記のように、維持放電は、放電セル１１４の全ての側面で起こるが、これにより、維持放電が起こる領域の体積が、図１に示された従来のパネルに比べて相対的に広くなって、従来によく使われていない放電セル１１４内の空間電荷も発光に寄与できる。したがって、放電時にプラズマが形成される量が増加して低電圧駆動が可能になる。
【００５２】
一方、前記上側放電電極及び下側放電電極は、前述したところに限定されず、図６に示されたような構造でありうる。
【００５３】
図示されたように、上側放電電極２３０は、上述した例における上側放電電極１３０と比較する時、放電部２３１と連結部２３２との間の連結構造が異なる。すなわち、本実施の形態の変形例による上側放電電極２３０は、第１ないし第４放電部２３１ａ，２３１ｂ，２３１ｃ，２３１ｄに分割されて離隔された放電部２３１と連結部２３２とを備え、第１及び第２連結部２３２ａ，２３２ｂは、複数の放電部２３１が配列された方向と平行である一方、第３及び第４連結部２３２ｃ，２３２ｄは、複数の放電部２３１が配列された方向に対して所定角度で傾いた構造よりなる。そして、第３連結部２３２ｃと第２及び第３放電部２３１ｂ，２３１ｃとの間の連結された部位と、第４連結部２３２ｄと第１及び第４放電部２３１ａ，２３１ｄとの間の連結された部位とも、第３及び第４連結部２３２ｃ，２３２ｄがそれぞれ傾いた角度に相応して傾いた構造よりなっている。
【００５４】
上側放電電極２３０と同様に、下側放電電極２４０も第１ないし第４放電部２４１ａ，２４１ｂ，２４１ｃ，２４１ｄに分割されて離隔された放電部２４１と、放電部２４１を連結する連結部２４２とを備え、第１及び第２連結部２４２ａ，２４２ｂは、複数の放電部２４１が配列された方向と平行である一方、第３及び第４連結部２４２ｃ，２４２ｄは、複数の放電部２４１が配列された方向に対して所定角度で傾いた構造よりなる。そして、第３連結部２４２ｃと第２及び第３放電部２４１ｂ，２４１ｃとの間の連結された部位と、第４連結部２４２ｄと第１及び第４放電部２４１ａ，２４１ｄとの間の連結された部位とも、第３及び第４連結部２４２ｃ，２４２ｄがそれぞれ傾いた角度に相応して傾いた構造よりなっている。
【００５５】
このように、上側放電電極及び下側放電電極は、本発明の要旨から逸脱しない範囲で多様な形態の構造よりなりうる。
【００５６】
本発明は、添付された図面に示された一実施の形態を参考として説明されたが、これは例示的なものに過ぎず、当業者ならば、これから多様な変形及び均等な他の実施の形態が可能であるということが分かる。したがって、本発明の真の保護範囲は、特許請求の範囲によって決定されねばならない。
【産業上の利用可能性】
【００５７】
本発明は、輝度及び発光効率が高く、低電圧駆動及び低電力駆動が可能なＰＤＰに適用可能である。
【図面の簡単な説明】
【００５８】
【図１】従来の一例によるＰＤＰを示す部分分離斜視図である。
【図２】本発明の一実施の形態によるＰＤＰを示す部分分離斜視図である。
【図３】図２において、上側放電電極と下側放電電極とを抜粋して示す部分斜視図である。
【図４】図３の上側放電電極と下側放電電極とをそれぞれ示す平面図である。
【図５】図２のＶ−Ｖ線断面図である。
【図６】図３の上側放電電極と下側放電電極とについての変形例をそれぞれ示す平面図である。
【符号の説明】
【００５９】
１００    ＰＤＰ、
１１１    第１基板、
１１２    第１隔壁、
１１３    ＭｇＯ膜、
１１４    放電セル、
１２１    第２基板、
１２２    アドレス電極、
１２３    誘電体層、
１２４    第２隔壁、
１２５    蛍光体層、
１３０    上側放電電極、
１４０    下側放電電極。
【図１】
2005332806.tif 000003
【図２】
2005332806.tif 000004
【図３】
2005332806.tif 000005
【図４】
2005332806.tif 000006
【図５】
2005332806.tif 000007
【図６】
2005332806.tif 000008